【事件の表示】
　平成１１年特許願第５１０８０２号「ネットワーク制御システム」拒絶査定に対する審判事件［平成１１年　２月１１日国際公開、ＷＯ９９／０７１１４］について、次のとおり審決する。
【結　論】
　本件審判の請求は、成り立たない。
【理　由】
第１．手続の経緯
　本願は、平成１０年８月４日（優先権主張　平成９年８月４日）の出願であって、平成１３年６月２０日付けの拒絶理由が通知され、その指定された期間内である平成１３年８月２９日付けで手続補正がなされ、平成１４年３月１日付けで拒絶査定がなされたところ、拒絶査定に対する不服の審判請求がなされたものである。
　
第２．本願発明
　本願の請求項２に係る発明（以下、「本願発明」という。）は、平成１３年８月２９日付けの手続補正によって補正された明細書及び図面の記載からみて、本願の特許請求の範囲の請求項２に記載された次のとおりのものである。
「コントローラを含む第１の機器と伝送路を介して接続されており、前記コントローラにより前記伝送路を介して制御されるデバイスを含む第２の機器であって、
前記第１および第２の機器のうち少なくとも一つの機器は、映像、音響または情報のうち少なくとも一つを取り扱う機器であり、
前記デバイスは、
　前記デバイスの機能を示す機能情報であって、前記デバイスの各機能を示すユーザーインターフェース情報と各ユーザーインターフェース情報に対応する識別子とを含む機能情報を有し、
　前記コントローラから前記伝送路を介して受信する識別子に従って動作することにより、該識別子に対応する前記ユーザーインターフェース情報が示す機能を提供することを特徴とする機器。」
　
第３．引用刊行物
１．これに対して、原審における拒絶の理由に引用され本願の出願日前の平成７年２月１４日に頒布された特開平７−４４４７７号公報（以下、「引用刊行物」という。）には、以下の記載がある。
「【０００７】【課題を解決するための手段】　本発明は上述の課題を解決するためになされたもので、その特徴とするところは、複数のマルチメディア機器及びこれらを制御するための制御機器がネットワーク上に接続され、該ネットワークを介して前記複数のマルチメディア機器及び制御装置が互いにオブジェクト指向に基づいたメッセージ及びデータの送受信が可能なシステムにおいて、前記制御装置には表示手段及びポインティング手段が付随し、前記表示手段により、前記複数のマルチメディア機器それぞれを象徴する図柄が表示され、利用者が該ポインティング手段により、これらの図柄の間にリンクを張ることによりマルチメディア機器間のデータの入出力関係を指定するように構成したマルチメディア機器の制御システムにある。」（３頁１８行ないし３２行）、
「【００２２】図１は、本発明のオブジェクト指向の概念を取り入れた、マルチメディアコントローラとマルチメディア機器の論理的な接続形態を示す。１のマルチメディアコントローラを中心に、２の各マルチメディア機器はそれぞれ１対１で各種情報の直接対話が行えるように通信路が確立されていて、その通信路を介してメッセージを相互に通信する事により制御を行うものである。マルチメディア機器は、具体的にはＣＤプレーヤー・デジタルＶＴＲ・デジタルカメラ・デジタルＴＶ等のＡＶ機器やデジタルＦＡＸ・デジタルコピー機・プリンター等のＯＡ機器など、すべてのマルチメディアデータを取り扱う機器を対象としている。」（４頁左欄３７行ないし４８行）、
「【００４３】図７はマルチメディア機器をマルチメディアコントローラに接続する前の状態を示す図である。図７において４はデジタルデータの通信を行うためのＬＡＮ、１はシステム全体の動作を制御するマルチメディアコントローラである。２はＬＡＮ４に接続されるマルチメディア機器の構造を一般化したものである。２０５はマルチメディアコントローラ１に常駐し、システム全体の管理を行うソフトウェアオブジェクト（以後オブジェクトと略す）であるシステムディレクターオブジェクトである。」（５頁右欄４２行ないし６頁左欄１行）、
「【００４４】１０６４はＬＡＮ４上の他のオブジェクトにとってオブジェクト化されたマルチメディア機器として機能するオブジェクトであるマルチメディア機器オブジェクトである。マルチメディア機器オブジェクト１０６４はさらに３つのオブジェクト１０６５，１０６６，１０６７から構成されている。」（６頁左欄２行ないし７行）、
「【００４５】１０６５はマルチメディア機器２の大部分の機能を実現するためにハードウェアの制御を行うマルチメディア機器コントローラオブジェクト、１０６６は他の機器からのデジタルデータのＬＡＮ４を介した入力を受け持つマルチメディア機器データ入力オブジェクト、１０６７は他の機器へのデジタルデータのＬＡＮ４を介した出力を受け持つマルチメディア機器データ出力オブジェクトである。」（６頁左欄８行ないし１５行）、
「【００４６】１０６１はマルチメディア機器２をマルチメディアコントローラ１にＬＡＮ４を介して接続した際にマルチメディアコントローラ１内に生成されるマルチメディア機器代理オブジェクトの仕様を記述するマルチメディア機器代理オブジェクト記述ファイルである。マルチメディア機器代理オブジェクト記述ファイル１０６１はマルチメディア機器２の操作パネルの仕様を記述するマルチメディア機器コントロールパネルオブジェクト記述部１０６２とマルチメディア機器２へのデータ入出力の代理を行うデータ入出力代理オブジェクトの仕様を記述するデータ入出力代理オブジェクト記述部１０６３から構成されている。特にマルチメディア機器コントロールパネルオブジェクト記述部はマルチメディア機器２の操作をＧＵＩで行うためのコントロールパネルを記述するＧＵＩ記述言語の機能を実現している。」（６頁左欄１６行ないし３０行）、
「【００４７】図８はＬＡＮ４にマルチメディア機器２が接続されたときの状態を説明する図である。図８において１０６８はマルチメディアコントローラ１内に生成されるオブジェクトでありマルチメディアコントローラ１内においてマルチメディア機器２の代理として機能するマルチメディア機器代理オブジェクト１０６８である。」（６頁左欄３１行ないし３６行）、
「【００５４】図１２は代理オブジェクト記述ファイルのコントロールパネル記述部の構成を示した図である。」（７頁左欄２５行ないし２６行）、
「【００５６】オブジェクト描画情報２５４は、コントロールパネル表示画面２３１を構成するボタン等のオブジェクトの描画を行うための情報であり、…　…　オブジェクト描画情報から構成される。１つのオブジェクト描画情報は描画位置・大きさ情報２５６、形状・色情報２５７、オブジェクト画像２５８から構成される。」（７頁左欄３９行ないし４６行）、
「【００５９】次に上述のシステム制御方式に基づいた具体的なマルチメディア機器２の制御系の例としてデジタルＶＴＲを例にとって本発明の動作を説明する。」（７頁右欄２３行ないし２５行）、
「【００６０】図１４はオブジェクト化されたデジタルＶＴＲをマルチメディアコントローラに接続する前の状態を示す図である。」（７頁右欄２６行ないし２８行）、
「【００６３】図１５はＶＴＲコントローラオブジェクト２０７の構造を示す図である。」（８頁左欄３行ないし４行）、
「【００６４】まず、デジタルＶＴＲ２０３がＬＡＮ４に接続されたときの動作について説明する。図１６はデジタルＶＴＲ２０３をＬＡＮ４に接続した際の動作のフローを示した図である。図１７はマルチメディアコントローラ１の画面を示した図である。図１７において２２８はマルチメディアコントローラ１のディスプレー、２２９はデジタルＶＴＲ２０３が接続されたことを示すアイコン表示であり、２３０はマウスなどのポインティングデバイスが指示する位置を示すカーソルである。　…　…　尚、他の接続機器としては、カメラ（静止画入力）、チユーナ、テレビジヨン、各種データベース、ＣＤ等、種々の機器との接続が可能であり、それらの機器の選択、制御も画面２２８上のアイコン表示にて行うことができる。」（８頁左欄１８行ないし３５行）、
「【００６５】図１８はＬＡＮ４にマルチメディア機器の例であるオブジェクト化されたデジタルＶＴＲ２０３が接続されたときの状態を説明する図である。図１８において２２０はマルチメディアコントローラ１内に生成されるオブジェクトでありマルチメディアコントローラ１内においてデジタルＶＴＲ２０３の代理として機能するデジタルＶＴＲ代理オブジェクト２２０である。」（８頁左欄３６行ないし４２行）、
「【００６６】図１６、図１７、図１８に従ってＬＡＮ４にマルチメディア機器の例であるオブジェクト化されたデジタルＶＴＲ２０３が接続されたときの動作を説明する。デジタルＶＴＲ２０３をＬＡＮに接続すると（６３６）システムディレクターオブジェクト２０５がデジタルＶＴＲ２０３の接続を認識する（６３７）。次にシステムディレクターオブジェクト２０５はデジタルＶＴＲ２０３にデバイスＩＤを発送する（６３８）。」（８頁右欄１行ないし８行）、
「【００６７】次にシステムディレクターオブジェクト２０５はマルチメディア機器代理オブジェクト生成手段１０４７を用いてデジタルＶＴＲ２０３よりデジタルＶＴＲ代理オブジェクト記述ファイル２１０をロードする（６３９）。次にシステムディレクターオブジェクト２０５はマルチメディア機器代理オブジェクト生成手段１０４７を用いてデジタルＶＴＲ代理オブジェクト記述ファイル２１０に基づきデジタルＶＴＲ代理オブジェクト２２０をマルチメディアコントローラ１中に生成する（６４０）。その結果図１８で示した接続状態になる。次にデジタルＶＴＲ代理オブジェクト２２０はマルチメディアコントローラ１のディスプレー２２８にデジタルＶＴＲ２０３のアイコン表示２２９を表示する（６４１）。その後利用者の指示を待つ（６４２）。」（８頁右欄９行ないし２２行）、
「【００６８】以後、操作者は、マルチメデイアコントローラのデジタルＶＴＲコントロールパネルオブジエクト２２１に基づいて表示された操作画面に基づいてデジタルＶＴＲを操作することにより、マルチメデイアコントローラ１内のデジタルＶＴＲ代理オブジエクト２２０を介してデジタルＶＴＲを制御することができる。」（８頁右欄２３行ないし２８行）、
「【００７０】図１９はデジタルＶＴＲ２０３のアイコン、図２０はコントロールパネル表示画面の例を示した図である。図１９はデジタルＶＴＲ２０３がＬＡＮ４に接続する際に表示されるアイコン２２９を示している。図２０はデジタルＶＴＲコントロールパネルオブジェクト２２１が描画するデフォルトの表示画面であり、同図において２３２はデイスプレー上に表示されるコントロールパネルの表示選択メニュー、　…　…　２７２は再生ボタン表示、２７３は早送りボタン表示、２７４は停止ボタン表示、２７５は録画ボタン表示である。」（８頁右欄３２行ないし４８行）、
「【００７２】図２１においてコントロールパネル表示画面２３１のフレームはパネルクラスのＶＴＲコントロールパネルオブジェクト２８４（ＩＤ＝１）に対応している。　…　…　再生ボタン表示２７２はボタンクラスの再生ボタンオブジェクト２９０（ＩＤ＝７）に対応している。…　…　録画ボタン表示２７５はボタンクラスの録画ボタンオブジェクト２９３（ＩＤ＝１０）に対応している。」（９頁左欄８行ないし２８行）、
「【００７５】図２２は再生ボタンオブジェクト２９０の生成に関する説明図である。図２２において２９７　…　３００、６０１　…　６１１はデジタルＶＴＲ代理オブジェクト記述ファイル２１０のオブジェクトコントロールパネルオブジェクト記述部２４７に記述された要素を示している。」（９頁左欄４１行ないし４７行）、
「【００８２】　…　リンクデータ６２４はオブジェクトリンク情報６０９にもとづいて設定され、送出メッセージとして’ｐｌａｙ’が、リンク先オブジェクトＩＤとしてリンク先オブジェクトＩＤが設定されるが、メッセージを送出する際に受取先のオブジェクトがシステム全体で一意に決定される目的で、デジタルＶＴＲ２０３をＬＡＮ４に接続した際にシステムディレクターオブジェクト２０５がデジタルＶＴＲに割り当てたデバイスＩＤをリンク先オブジェクトＩＤに付加した形で設定される。」（１０頁左欄２８行ないし４１行）、
「【００８８】図２３と図２９にしたがってデジタルＶＴＲ２０３のコントロールパネル表示動作と再生動作の指示方法を説明する。図１６で説明した動作においてシステムディレクターオブジェクト２０５がデジタルＶＴＲ代理オブジェクト２２０を生成した時点でデジタルＶＴＲ代理オブジェクト２２０はアイコン表示２２９をアイコン画像１４２６に基づいて表示するが、利用者がデジタルＶＴＲのアイコン２２９をカーソル２３０で指示してダブルクリックすると（６４３）、デジタルＶＴＲ代理オブジェクト２２０のコントロールパネルオブジェクト２２１はコントロールパネルオブジェクト２２１を構成するすべてのオブジェクトにたいして描画を指示するメッセージを送出する。該メッセージにしたがって図２１に示したすべてのオブジェクトが描画手段を実行し、コントロールパネルオブジェクトはその際、第２オブジェクト描画情報に基づいてデジタルＶＴＲのコントロールパネルのフレームを描画する。その結果、デジタルＶＴＲ２０３を操作するためのデジタルＶＴＲコントロールパネル表示２３１が図２４のように表示され（６４４）、利用者の指示を待つ（６４５）。この状態で利用者が該コントロールパネル２３１の再生ボタン２７２をカーソル２３０で指示してクリックすると（６４６）、コントロールパネルオブジェクト２２１はデジタルＶＴＲ２０３のコントローラオブジェクト２１４にメッセージ’ＰＬＡＹ’を送出する（６４７）。これによつてデジタルＶＴＲ２０３のコントローラオブジェクト２１４は該メッセージに反応して再生実行手段を起動する（６４８）。再生実行手段の起動によってデジタルＶＴＲ２０３の再生動作が開始される。」（１０頁右欄３７行ないし１１頁左欄１５行）、
「【００８９】以上説明したように本発明によればマルチメディア機器をマルチメディアコントローラにＬＡＮを介して接続するだけでマルチメディア機器の操作に必要なマルチメディア機器代理オブジェクトがマルチメディアコントローラに自動的に生成され、さらにマルチメディア機器の操作に必要なコントロールパネルがマルチメディアコントローラのディスプレーに自動的に表示され、該コントロールパネルに対して利用者が操作を行うとマルチメディア機器のコントローラオブジェクトに適切なメッセージが送出され所望の操作を行うことができる。マルチメディア機器の操作に必要なマルチメディア機器代理オブジェクトを生成するために必要な情報はマルチメディア機器から読み込んだマルチメディア機器代理オブジェクト記述ファイルから取得するため、マルチメディアコントローラには基本的なクラスライブラリーがあるだけでよく、特定のマルチメディア機器に関する情報をあらかじめ持っている必要はない。」（１１頁左欄１６行ないし３２行）。
　
２．これらの記載によれば、引用刊行物には、
　「マルチメディアコントローラとＬＡＮを介して接続されており、前記マルチメディアコントローラにより前記ＬＡＮを介して制御されるデジタルＶＴＲ等のマルチメディア機器であって、前記マルチメディア機器は、映像、音響または情報のうち少なくとも一つを取り扱う機器であり、前記マルチメディア機器は、マルチメディア機器を前記マルチメディアコントローラにＬＡＮを介して接続した際に、前記マルチメディアコントローラ内に生成されるマルチメディア機器代理オブジェクトの仕様を記述するマルチメディア機器代理オブジェクト記述ファイルと前記マルチメディア機器の機能を実現するためにハードウェアの制御を行うマルチメディア機器コントローラオブジェクトを有し、前記マルチメディアコントローラから前記ＬＡＮを介して受信するデバイスＩＤが付加されたメッセージに従って動作することにより、メッセージに対応するユーザーインターフェース情報が示す機能を提供する機器。」の発明（以下、「引用発明」という。）が開示されているものと認められる。
　
第４．対比・検討
１． 対比
　そこで、本願発明と引用発明とを対比すると、
　ａ．引用発明の「マルチメディアコントローラ」は、マルチメディア機器をコントロールするものであるから、本願発明の「コントローラ」に相当する。
　ｂ．引用発明の「ＬＡＮ」は、その機能からみて伝送路であることは明らかであり、本願発明の「伝送路」に相当する。
　ｃ．引用発明の「マルチメディアコントローラによりＬＡＮを介して制御されるデジタルＶＴＲ等のマルチメディア機器」は、その「デジタルＶＴＲ」がコントローラにより伝送路を介して制御されるデバイスといえるから、本願発明の「コントローラにより前記伝送路を介して制御されるデバイスを含む第２の機器」に相当する。
　ｄ．引用刊行物には「マルチメディア機器コントロールパネルオブジェクト記述部はマルチメディア機器２の操作をＧＵＩで行うためのコントロールパネルを記述するＧＵＩ記述言語で実現している。」（６頁左欄２７行ないし３０行）の記載があるように、引用発明は、マルチメディア機器の操作をＧＵＩ（Ｇｒａｐｈｉｃａｌ　Ｕｓｅｒｓ　Ｉｎｔｅｒｆａｃｅ　）で行うものであり、そして、引用発明の「デジタルＶＴＲ代理オブジェクト記述ファイル」は、デジタルＶＴＲの機能（「再生」、「早送り」、「録画」等）を示す情報であって、デジタルＶＴＲの機能を示すユーザインターフェース情報（図２０のコントロールパネル表示画面に表示される「再生ボタン」、「早送りボタン」、「録画ボタン」等）を有しているから、引用発明の「デジタルＶＴＲ等のマルチメディア機器」には、本願発明でいうところの「デバイスの機能を示す機能情報であって、前記デバイスの各機能を示すユーザインターフェース情報」を有しているといえる。
　したがって、本願発明と引用発明とは以下の点で一致ないし相違する。
　
２． 一致点
　コントローラと伝送路を介して接続されており、前記コントローラにより前記伝送路を介して制御されるデバイスを含む機器であって、前記機器は、映像、音響または情報のうち少なくとも一つを取り扱う機器であり、前記デバイスは、前記デバイスの機能を示す機能情報であって、前記デバイスの各機能を示すユーザーインターフェース情報を含む機能情報を有し、前記ユーザーインターフェース情報が示す機能を提供する機器。
　
３． 相違点
　ア．本願発明は、デバイスの各機能を示すユーザーインターフェース情報と各ユーザーインターフェース情報に対応する識別子とを含む機能情報を有するのに対して、引用発明は、機能情報に、デバイスの各機能を示すユーザインターフェース情報を有するものの、各ユーザーインターフェース情報に対応する識別子を有するか否か明確でない点。
　イ． 本願発明は、コントローラから伝送路を介して受信する識別子に従って動作するのに対して、引用発明は、コントローラから伝送路を介して受信するデバイスＩＤが付加されたメッセージに従って動作する点。
　ウ． 本願発明は、識別子に対応するユーザーインターフェース情報が示す機能を提供するのに対して、引用発明は、メッセージに対応するユーザーインターフェース情報が示す機能を提供する点。
　エ．本願発明では、コントローラが第１の装置に含まれるのに対して、引用発明では、そのようになっていない点。
　
４． 相違点についての検討
（１）相違点アないしウについて
　引用刊行物には、「【００８９】以上説明したように本発明によればマルチメディア機器をマルチメディアコントローラにＬＡＮを介して接続するだけでマルチメディア機器の操作に必要なマルチメディア機器代理オブジェクトがマルチメディアコントローラに自動的に生成され、さらにマルチメディア機器の操作に必要なコントロールパネルがマルチメディアコントローラのディスプレーに自動的に表示され、該コントロールパネルに対して利用者が操作を行うとマルチメディア機器のコントローラオブジェクトに適切なメッセージが送出され所望の操作を行うことができる。マルチメディア機器の操作に必要なマルチメディア機器代理オブジェクトを生成するために必要な情報はマルチメディア機器から読み込んだマルチメディア機器代理オブジェクト記述ファイルから取得するため、マルチメディアコントローラには基本的なクラスライブラリーがあるだけでよく、特定のマルチメディア機器に関する情報をあらかじめ持っている必要はない。」（１１頁左欄１６行ないし３２行）の記載があるように、引用発明ではマルチメディア機器の操作に必要な情報が、マルチメディア機器（デバイス）にマルチメディア機器代理オブジェクト記述ファイルとして有することが認められること、また、引用刊行物に「【００８８】図２３と図２９にしたがってデジタルＶＴＲ２０３のコントロールパネル表示動作と再生動作の指示方法を説明する。図１６で説明した動作においてシステムディレクターオブジェクト２０５がデジタルＶＴＲ代理オブジェクト２２０を生成した時点でデジタルＶＴＲ代理オブジェクト２２０はアイコン表示２２９をアイコン画像１４２６に基づいて表示するが、利用者がデジタルＶＴＲのアイコン２２９をカーソル２３０で指示してダブルクリックすると（６４３）、デジタルＶＴＲ代理オブジェクト２２０のコントロールパネルオブジェクト２２１はコントロールパネルオブジェクト２２１を構成するすべてのオブジェクトにたいして描画を指示するメッセージを送出する。該メッセージにしたがって図２１に示したすべてのオブジェクトが描画手段を実行し、コントロールパネルオブジェクトはその際、第２オブジェクト描画情報に基づいてデジタルＶＴＲのコントロールパネルのフレームを描画する。その結果、デジタルＶＴＲ２０３を操作するためのデジタルＶＴＲコントロールパネル表示２３１が図２４のように表示され（６４４）、利用者の指示を待つ（６４５）。この状態で利用者が該コントロールパネル２３１の再生ボタン２７２をカーソル２３０で指示してクリックすると（６４６）、コントロールパネルオブジェクト２２１はデジタルＶＴＲ２０３のコントローラオブジェクト２１４にメッセージ’ＰＬＡＹ’を送出する（６４７）。これによつてデジタルＶＴＲ２０３のコントローラオブジェクト２１４は該メッセージに反応して再生実行手段を起動する（６４８）。再生実行手段の起動によってデジタルＶＴＲ２０３の再生動作が開始される。」（１０頁右欄３７行ないし１１頁左欄１５行）の記載があるように、引用発明のメッセージには、デバイスの各機能を示すと同時に、各ユーザーインターフェース情報に対応する識別子の機能があると認められるから、引用発明は、各ユーザーインターフェース情報に対応する識別子の機能を含むといえ、そして、メッセージに、各ユーザーインターフェース情報に対応する識別子の機能があると認められる以上、デバイスを、識別子に従って動作させるか、それともメッセージに従って動作させるかは適宜選択し得る事項といえるから、引用発明において、デバイスの各機能を示すユーザーインターフェース情報と各ユーザーインターフェース情報に対応する識別子とを含む機能情報を有し、コントローラから伝送路を介して受信する識別子に従って動作することにより、該識別子に対応する前記ユーザーインターフェース情報が示す機能を提供するようにすることは、当業者であれば容易に想到し得るものである。
　
（２）相違点エについて
　本願の請求項２の記載によれば「第１および第２の機器のうち少なくとも一つの機器は、映像、音響または情報のうち少なくとも一つを取り扱う機器であ」るところ、引用刊行物には「【００２３】またコントローラは、ここでは専用の機器を想定しているが、パソコンやワードプロセツサＷＳの汎用コンピュータ上に専用ＯＳとアプリケーションソフトウェアを搭載して実現する事もできる。」（４頁左欄４９行ないし右欄２行）の記載があり、そして、パソコンやワードプロセツサＷＳの汎用コンピュータは情報を取り扱う機器であることは明らかであるから、引用発明において、コントローラが（第１の）機器に含まれるように構成し、コントローラを含む第１の機器と伝送路を介して接続されるようにすることは適宜実施し得ることである。
　
５．顕著な作用効果についての検討
　請求人は、本願発明では、ユーザの操作をターゲット側で判断するため、コントローラに他の機器から受信したプログラムを動作させるための動作環境を設ける必要がない点、ターゲット機器を識別子に基づいて制御するため、エラー処理をターゲットが独自に判断することが可能であり、良好な応答性が確保できる旨主張している。
　しかしながら、ユーザーインターフェース情報に対応する機能の処理は、コントローラ側、またはデバイス（ターゲット）側のいずれか、若しくは両方に分担して行うかの選択事項であると考えられるところ、ユーザーインターフェース情報に対応する機能の処理をデバイス（ターゲット）側で判断することは、当業者であれば適宜実施し得る（例えば、特開平４−４６４９６号公報参照）事項と考えられ、そして、前記機能の処理を各デバイス（ターゲット）側で行えば、コントローラに他の機器から受信したプログラムを動作させるための動作環境を設ける必要がなくなること、エラー処理をデバイス（ターゲット）が独自に判断することが可能となること、応答性が良くなるという作用・効果は予想されることであるから、本願発明の作用・効果は格別顕著なものであるとはいえない。
　したがって、請求人の主張は採用できない。
　
第５．むすび
　したがって、本願発明は、引用刊行物に記載された発明に基づいて当業者であれば容易に発明をすることができたものと認められるから特許法第２９条の規定によって特許を受けることはできない。
　よって、結論のとおり審決する。